(57)【特許請求の範囲】
【請求項１】
パチンコ球が整列状にて流下し得る緩やかな下傾状の緩傾斜樋を形成し、該緩傾斜樋の下端に下向きに急カーブする屈折部を介して鉛直な流落路を形成するとともに、該屈折部の内周壁に窓孔を開設し、該屈折部の内周側に鉛直面内で回転自在なるように爪片を軸支し、該爪片を反復回転し、該爪片の先端部を前記窓孔から前記緩傾斜樋の底面の略延長線方向に沿って出没動させることにより、緩傾斜樋上に整列した流下方向最先端のパチンコ球が該緩傾斜樋の略延長線上の前記屈折部の外周側垂直面と該爪片の先端部上面とに当接して該パチンコ球の流下が制止されるようにしたことを特徴とするパチンコ遊技機の球払出装置。
【発明の詳細な説明】
【０００１】
【発明の属する技術分野】
本発明は、パチンコ遊技機やそれに付随する球貸出装置に設けられる球払出装置の構造に関するものである。
【０００２】
【従来の技術】
パチンコ遊技機の球払出装置は、モータによって払出ロータを回転させる構造のものの他、特開平５ー１１５５９９に示されたように、パチンコ球が自重により流下する傾斜樋にソレノイドによって爪片を出没動させる球停留装置を設けた構造のものが知られている。
【０００３】
【発明が解決しようとする課題】
ところで上記のような球停留装置を設けた球払出装置では、数珠状に連なるパチンコ球の荷重が爪片に掛るために、爪片を出没動させるソレノイドに大きな負荷が掛かるので、迅速な球きり作動を不安定にする欠点があった。そのためにパチンコ球の流下樋をＳ字状等に屈曲させ球圧を下げることもなされていたが十分な効果は得られていない。
【０００４】
また、従来のこの種の球払出装置では、球計数用センサを爪片よりも上部に設け、該爪片によって制止されたパチンコ球が該球計数用センサによって検出されるように構成していた。このためパチンコ球が爪片によって当たって跳ね上がると、球計数用センサがそのパチンコ球を２回以上も検出する（いわゆるチャタリング発生）おそれがあり、そうした誤検知のために払出球数が一定とならなくなるおそれがあった。
【０００５】
また、従来のこの種の球払出装置では、パチンコ球が自重により高速度で流落し球計数用センサを高速度で過ぎるために検出時間が極めて短くならざるを得ず、そのために検出ミスを起すおそれがあった。
【０００６】
そこで本発明の第一の目的は、常に爪片がスムースに出没動し安定した作動が実現される球払出装置を提供することにある。
また本発明の第二の目的は、パチンコ球の検出が常に正確に行われるようにし、過剰な払出や払出球数の不足が生じないようにすることにある。
【０００７】
【課題を解決するための手段】
その目的を達成するために本発明に係るパチンコ遊技機の球払出装置は、パチンコ球が整列状にて流下し得る緩やかな下傾状の緩傾斜樋を形成し、該緩傾斜樋の下端に下向きに急カーブする屈折部を介して鉛直な流落路を形成するとともに、該屈折部の内周壁に窓孔を開設し、該屈折部の内周側に鉛直面内で回転自在なるように爪片を軸支し、該爪片を反復回転し、該爪片の先端部を前記窓孔から前記緩傾斜樋の底面の略延長線方向に沿って出没動させることにより、緩傾斜樋上に整列した流下方向最先端のパチンコ球が該緩傾斜樋の略延長線上の前記屈折部の外周側垂直面と該爪片の先端部上面とに当接して該パチンコ球の流下が制止されるようにしたことを特徴とする。
【０００８】
【発明の実施の形態】
次に図面に従い本発明の実施の形態を説明する。図１は本発明に係る球払出装置の縦断面図である。図中、１はパチンコ遊技機の裏側に設けられた球貯留タンク等に連通しパチンコ球が整列状にて流下するように接続される球流入口、２は該流入口の下に緩やかな下傾状に形成された緩傾斜樋で、該緩傾斜樋２は図示したようにパチンコ球ｐが直線状に３個程整列し得る長さを持つ。そして該緩傾斜樋の下端に下向きに急カーブする屈折部３を介して鉛直な流落路４が延設される。なお該屈折部３の外周壁内面には４５度程度の所定の伏角にて俯き状なる傾斜平面３ａが形成され、該傾斜平面３ａの下端に垂直面３ｂが連続する。
【０００９】
５は爪片６とソレノイド７とからなる球停留装置である。爪片６は屈折部３の内周側に支軸８を設け鉛直面内で回転自在に軸支されたもので、嘴状に尖った先端部９の上面１０が該支軸８を中心とする円弧面状に形成されている。そして該爪片６の基部背面に一対の係合部１１，１１を突設するとともに、ソレノイド７のスピンドルに固着された作動体１２の突片１３を該係合部１１，１１間に遊嵌し、該ソレノイド７が励磁作動すると爪片６が支軸８を支点として反復回転し、先端部９が該屈折部３の内周壁に開設された窓孔１４より緩傾斜樋２の底面の略延長線方向に沿って出没動することでパチンコ球ｐの流下を制止し得るように構成している。
【００１０】
また、図２にも示したように、１５は投光器１５ａと受光器１５ｂとからなる光学式の球計数用センサ、１６は該センサを支持しているコ字状取付枠で、該センサは該取付枠によって爪片６により支持されるパチンコ球ｐの僅かに下流位置でしかも流落路４の中心線からずれた位置でその光軸１７が交差するように配置される。そして該爪片６による制止が開放された直後のパチンコ球がこの光軸１７を遮ることで該パチンコ球を検知し得るように配置される。言い換えれば、図１に示したように爪片６により制止されているパチンコ球ｐは光軸１７を遮断することなく未だ検知されない状態にある。
【００１１】
このように構成した球払出装置では、球払出制御装置からの指令によりソレノイド７が励磁されることで図３に示したように爪片６の先端部９が窓孔１４から没してパチンコ球ｐが制止されなくなることで自重により該パチンコ球ｐの払い出しが行われ、球計数用センサ１５が所定数のパチンコ球を検出したところで該球払出制御装置から再び指令が出て爪片６が突出することでパチンコ球ｐの払い出しが停止する。
【００１２】
この球払出装置では、緩傾斜樋２上に連なって流下して来るパチンコ球ｐの圧力は垂直面３ｂや傾斜平面３ａに掛かる。そして、爪片６の先端部９は該緩傾斜樋２の底面の略延長線方向に沿って出没動するので、その出没動に対してその圧力が抵抗になることなく該爪片の出没動に大きな負荷を与えない。このため該爪片６の動きを常にスムースにできる。
【００１３】
また、この球払出装置では、緩傾斜樋２の下端に下向きに急カーブする屈折部３を介して鉛直な流落路４を形成しているので、該緩傾斜樋２を流下するパチンコ球ｐが垂直面３ｂに衝突し、この屈折部３を通過することによって流下速度が減速されるので、球計数用センサ１５の光軸１７を一定速度以上で過ぎることがなくなり検出ミスが起き難くなる。
【００１４】
また、屈折部３の外周壁内面に所定の伏角にて俯き状なる傾斜平面３ａを形成したことにより、緩傾斜樋２を高速で流下するパチンコ球は該傾斜平面３ａに激突して下向きに転向されるようになり、パチンコ球の速度がより効果的に減速される。このため検出ミスを一層起き難くできる。なお、仮にこの屈折部の外周壁内面が円弧面状に形成されていた場合は、パチンコ球がその円弧面に接しながら徐々に転向するので球速度はさほど減殺されなくなる。これに対して傾斜平面３ａを形成した場合は、高速度のパチンコ球は該傾斜平面３ａに激突して跳ね返るようになるので大幅に減速できる。
【００１５】
また、図１に示したように爪片６により支持されたパチンコ球ｐは球計数用センサ１５によって未だ検出されていないので、該爪片６に当たってパチンコ球ｐが跳ねたとしても、該パチンコ球が該球計数用センサ１５によりダブって検知されるおそれがない。また、光軸１７を流落路４の中心線からずれた位置で交差するように配置したことによって、多数のパチンコ球が該流落路４を隙間なく連なって流落しても各パチンコ球間に光が通過し得る間隔ができ、流落するパチンコ球数を間違いなく確実に計数できるようになる。
【００１６】
なおこの実施形態では球計数用センサについては光学式のものを説明したが、電磁式，静電容量式等、その他の検知形式のセンサを使用することもできる。
【００１７】
【発明の効果】
このように本発明に係るパチンコ遊技機の球払出装置は、緩傾斜樋の下端に下向きに急カーブする屈折部を形成するとともに、該屈折部に爪片が該緩傾斜樋の底面の略延長線方向に沿って出没動することでパチンコ球の流下を制止し得る球停留装置を設けてなるので、爪片へ掛る球圧力が大幅に軽減され常にスムースに爪片が出没動しソレノイド等に掛る負荷が軽減され常に安定した作動が実現される利点がある。
また、パチンコ球の検出が常に正確に行われ払出球数の過不足が生じないなど顕著な効果がある。
【図面の簡単な説明】
【図１】本発明に係るパチンコ遊技機の球払出装置の実施形態を示した縦断面図。
【図２】図１のＡ−Ａ線断面図。
【図３】図１の作動状態図。
【符号の説明】
ｐ          パチンコ球
２          緩傾斜樋
３          屈折部
３ａ        傾斜平面
４          流落路
５          球停留装置
６          爪片
７          ソレノイド
８          支軸
９          先端部
１０        上面
１５        球計数用センサ
１７        光軸
【図１】
0004544594.tif 000002
【図２】
0004544594.tif 000003
【図３】
0004544594.tif 000004